(57)【特許請求の範囲】
【請求項１】
光源ユニットと、器具本体と、を備え、
前記光源ユニットは、長尺の外形形状をしており、
前記光源ユニットは、複数のＬＥＤと、長手方向に沿って前記複数のＬＥＤが実装される長尺の実装基板と、該実装基板が取り付けられる取付部材と、前記実装基板を覆うように前記取付部材に取り付けられる透光性のカバー部材と、を有し、
前記器具本体は、一面に開口部を有する箱状の外形形状であって、前記開口部から前記光源ユニットの光を放出できるように、内部に前記光源ユニットが収容されており、
前記器具本体は、反射部材と、突出片と、を有しており、
前記反射部材は、前記光源ユニットの長手方向に沿って、前記光源ユニットの短手方向の両端のうちの第１端に配置され、前記光源ユニットの長手方向と直交する断面視において前記光源ユニットの光軸に沿って設けられており、
前記突出片は、前記光源ユニットの長手方向に沿って、前記光源ユニットの短手方向の両端のうちの前記第１端と反対の第２端に配置され、前記光源ユニットの長手方向と直交する断面視において、前記開口部を狭め前記光軸と交差する方向への光を遮光するように、前記反射部材に向かって突出しており、
前記光源ユニットの長手方向と直交する断面視において、前記光源ユニットの前記光軸と直交する向きでの前記突出片と前記反射部材との距離は、前記器具本体の内部から前記開口部に向かって徐々に小さくなる
ことを特徴とする照明器具。
【請求項２】
前記突出片は、前記光軸に沿って、前記開口部に沿った先端縁から前記器具本体の内部に向かって延びる反射部を有することを特徴とする請求項１に記載の照明器具。
【請求項３】
前記器具本体は、前記光軸を前記器具本体に対して傾ける傾斜部を有することを特徴とする請求項１または請求項２に記載の照明器具。
【発明の詳細な説明】
【技術分野】
【０００１】
本発明は、照明器具に関し、特に、ＬＥＤ(Light Emitting Diode)を備えた照明器具に関する。
【背景技術】
【０００２】
従来、壁に設置された黒板や壁にかけられた絵画などを、ＬＥＤを備えた照明器具からの光で照明する場合がある。
【０００３】
この種の照明器具としては、複数のＬＥＤが実装された電気基板と、電気基板が固定されるプレートを収容するカバー部と、を備え、カバー部がＬＥＤから直接向かう光を遮光する手前遮光部を有する構造が知られている（たとえば、特許文献１）。
【０００４】
特許文献１では、手前遮光部がＬＥＤから直接向かう光を遮光することで、観察者がＬＥＤの像を観察できないようにしている。
【先行技術文献】
【特許文献】
【０００５】
【特許文献１】特開２０１５−９７１５７号公報
【発明の概要】
【発明が解決しようとする課題】
【０００６】
ところで、照明器具では、光が照射される被照射面における照度分布の均一性をより高め、被照射面以外への不要な光の照射を抑制できる構造が求められており、上述の特許文献１の構成だけでは十分でなく、更なる改良が求められている。
【０００７】
本発明の目的は、被照射面での照度分布の均一性をより高め、被照射面以外への不要な光の照射を抑制できる照明器具を提供することにある。
【課題を解決するための手段】
【０００８】
本発明に係る一態様の照明器具は、光源ユニットと、器具本体と、を備えている。上記光源ユニットは、長尺の外形形状をしている。上記光源ユニットは、複数のＬＥＤと、実装基板と、取付部材と、カバー部材と、を有している。上記実装基板は、長尺の外形形状をしている。上記実装基板は、長手方向に沿って、上記複数のＬＥＤが実装される。上記取付部材は、上記実装基板が取り付けられる。上記カバー部材は、上記実装基板を覆うように、上記取付部材に取り付けられる。上記カバー部材は、透光性を有している。上記器具本体は、一面に開口部を有する箱状の外形形状をしている。上記器具本体は、上記開口部から上記光源ユニットの光を放出できるように、内部に上記光源ユニットが収容される。上記器具本体は、反射部材と、突出片と、を有している。上記反射部材は、上記光源ユニットの長手方向に沿って、上記光源ユニットの短手方向の両端のうちの第１端に配置される。上記反射部材は、上記光源ユニットの長手方向と直交する断面視において、上記光源ユニットの光軸に沿って設けられる。上記突出片は、上記光源ユニットの長手方向に沿って、上記光源ユニットの短手方向の両端のうちの上記第１端と反対の第２端に配置される。上記突出片は、上記光源ユニットの長手方向と直交する断面視において、上記開口部を狭め上記光軸と交差する方向への光を遮光するように、上記反射部材に向かって突出している。上記光源ユニットの長手方向と直交する断面視において、上記光源ユニットの上記光軸と直交する向きでの上記突出片と上記反射部材との距離は、上記器具本体の内部から上記開口部に向かって徐々に小さくなる。
【発明の効果】
【０００９】
本発明の照明器具は、被照射面での照度分布の均一性をより高めつつ、被照射面以外への不要な光の照射を抑制できる。
【図面の簡単な説明】
【００１０】
【図１】図１は、本発明の一実施形態の照明器具を示す横断面図である。
【図２】図２は、同上の照明器具を示す分解斜視図である。
【図３】図３は、同上の照明器具における器具本体の要部の一部破断した正面図である。
【図４】図４は、同上の照明器具の別の要部を示す一部破断した正面の拡大図である。
【図５】図５は、同上の照明器具の別の要部を示す側面図である。
【図６】図６は、同上の照明器具を示す一部破断した断面図である。
【発明を実施するための形態】
【００１１】
以下では、本実施形態の照明器具３０について、図１ないし図６を参照して説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１２】
本実施形態の照明器具３０は、図１に示すように、光源ユニット１０と、器具本体３１と、を備えている。光源ユニット１０は、図２に示すように、長尺の外形形状をしている。光源ユニット１０は、複数のＬＥＤ１と、実装基板２と、取付部材４と、カバー部材５と、を有している。実装基板２は、長尺の外形形状をしている。実装基板２は、長手方向に沿って、複数のＬＥＤ１が実装される。取付部材４は、実装基板２が取り付けられる。カバー部材５は、実装基板２を覆うように、取付部材４に取り付けられる。カバー部材５は、透光性を有している。
【００１３】
器具本体３１は、一面に開口部３０ａａを有する箱状の外形形状をしている。器具本体３１は、開口部３０ａａから光源ユニット１０の光が放出できるように、内部に光源ユニット１０が収容される。器具本体３１は、反射部材３２と、突出片３３と、を有している。反射部材３２は、光源ユニット１０の長手方向に沿って、光源ユニット１０の短手方向の両端のうちの第１端に配置される。図１及び図２では、光源ユニット１０の短手方向を、Ｘの両矢印で例示し、図２において、光源ユニット１０の長手方向を、Ｙの両矢印で例示している。反射部材３２は、光源ユニット１０の長手方向と直交する断面視において、光源ユニット１０の光軸３０ａｂに沿って設けられる。図１では、光源ユニット１０の光軸３０ａｂを一点破線の矢印で例示している。突出片３３は、光源ユニット１０の長手方向に沿って、光源ユニット１０の短手方向の両端のうちの第１端と反対の第２端に配置される。突出片３３は、光源ユニット１０の長手方向と直交する断面視において、開口部３０ａａを狭め光軸３０ａｂと交差する方向への光を遮光するように、反射部材３２に向かって突出している。
【００１４】
本実施形態の照明器具３０は、光軸３０ａｂに沿って設けられる反射部材３２と、光軸３０ａｂと交差する方向への光を遮光するように反射部材３２に向かう突出片３３と、を有する構成で、被照射面の照度分布の均一性をより高め、不要な光の照射を抑制できる。
【００１５】
以下では、本実施形態の照明器具３０について、より詳細に説明する。
【００１６】
本実施形態の照明器具３０は、たとえば、天井材５０の埋込穴５０ａａに埋め込まれて設置される。照明器具３０は、鉛直方向と傾斜した所定の方向に光を照射できるように構成されている。より具体的には、照明器具３０は、天井材５０の埋込穴５０ａａに埋め込まれた状態で、黒板、絵画又は看板などが設けられる壁面に光源ユニット１０の光軸３０ａｂが向くように構成されている。
【００１７】
光源ユニット１０は、ＬＥＤ１と実装基板２と取付部材４とカバー部材５に加え、電源装置６と、引掛ばね７ａと、引掛片７ｂと、を有している。器具本体３１は、箱状の本体部３１ｓを有している。器具本体３１は、本体部３１ｓと反射部材３２と突出片３３とに加え、支持板３１ｆと、支持片３２ｄと、ユニット保持体３４と、反射部３５と、端子台３６と、を有している。
【００１８】
ＬＥＤ１は、たとえば、ＬＥＤチップと、ＬＥＤチップを収納する凹所が設けられたパッケージと、凹所を封止する透光性の封止材と、を有している。ＬＥＤチップは、たとえば、青色光が発光可能な青色ＬＥＤチップが挙げられる。封止材は、透光性材料により形成されている。封止材の透光性材料としては、たとえば、シリコーン樹脂若しくはエポキシ樹脂が挙げられる。封止材の透光性材料には、蛍光体が混合されている。蛍光体は、青色ＬＥＤチップから放射される青色光により励起されて、黄色光を放射する黄色蛍光体が挙げられる。ＬＥＤ１は、青色ＬＥＤチップから放射される青色光と、黄色蛍光体から放射される黄色光との混色光を放射することができる。ＬＥＤ１は、混色光として、たとえば、昼白色の光を放射する。ＬＥＤ１は、封止材の透光性材料に、蛍光体が混合されていなくともよい。ＬＥＤ１は、たとえば、ＬＥＤチップとパッケージと封止材とを備えた表面実装型発光ダイオードであってもよいし、ＬＥＤチップ単体だけであってもよい。
【００１９】
実装基板２は、図２に示すように、長尺の矩形平板状の外形形状をしている。実装基板２は、ＬＥＤ１と電気的に接続される導体を有している。導体は、複数のＬＥＤ１を電気的に直列接続する。複数のＬＥＤ１は、実装基板２の短手方向における中央部において、実装基板２の長手方向に沿って直線状に配置されている。複数のＬＥＤ１それぞれは、はんだにより、導体と電気的に接続される。実装基板２は、たとえば、ガラスエポキシ樹脂基板が挙げられる。実装基板２は、ガラスエポキシ樹脂基板だけに限られず、たとえば、セラミック基板若しくは金属ベースプリント配線板などであってもよい。実装基板２は、コネクタ２ａが実装されている。コネクタ２ａは、ＬＥＤ１に給電できるように導体と電気的に接続されている。実装基板２は、コネクタ２ａと接続された電線が、電源装置６と電気的に接続される。
【００２０】
取付部材４は、図２に示すように、長尺の外形形状をしている。取付部材４は、長手方向と直交する断面視において、図１に示すように、取付部４ａと一対の側板部４ｂとで、Ｃ字状に形成されている。取付部４ａは、正面視において、長尺の矩形状に形成されている。側板部４ｂは、取付部４ａの短手方向における両端から取付部４ａと直交する方向に延びるように設けられている。側板部４ｂの先端部には、外方に向かって突出する突出部４ｅが設けられている。取付部材４は、長手方向に沿って、突出部４ｅが設けられている。
【００２１】
突出部４ｅは、側板部４ｂの先端が巻かれて円筒状に形成されている。取付部４ａは、長手方向に沿って、短手方向の中央部に凹所４ａｄが設けられている。凹所４ａｄは、底部４ｃｂと、一対の側部４ｃｃと、を備えている。底部４ｃｂは、正面視において、長尺の矩形状に形成されている。側部４ｃｃは、矩形板状の外形形状をしている。側部４ｃｃは、底部４ｃｂの長手方向に沿って、底部４ｃｂから立ち上がるように設けられている。一対の側部４ｃｃは、底部４ｃｂから離れるにつれ、互いの距離が広がるように形成されている。
【００２２】
取付部材４は、底部４ｃｂの所定位置に実装基板２が配置できるように構成されている。実装基板２は、取付部材４における取付部４ａの第１面４ａａに取り付けられている。側部４ｃｃの表面は、ＬＥＤ１からの光を反射する反射面を構成している。取付部材４は、図２に示すように、底部４ｃｂの短手方向の両端側に、底部４ｃｂの長手方向に沿って、複数の係止片４ｓが設けられている。係止片４ｓは、底部４ｃｂから突出するように設けられている。係止片４ｓは、実装基板２の厚み方向に貫通した孔部２ｂｃに挿入できるように構成されている。係止片４ｓと孔部２ｂｃとは、対応して設けられている。取付部材４は、係止片４ｓが折り曲げ加工されることで、実装基板２を係止片４ｓと底部４ｃｂとの間に、かしめ固定する。取付部材４は、たとえば、鋼板で形成されている。取付部材４の材料は、鋼板だけに限られず、アルミニウム、銅やステンレスなどの金属材料により形成されてもよい。取付部材４は、鋼板の打ち抜き加工及び曲げ加工で形成される。
【００２３】
カバー部材５は、長尺の外形形状をしている。カバー部材５は、図１及び図２に示すように、カバー本体５ａと、カバーエンド５ｂと、を備えている。カバー部材５は、ＬＥＤ１が実装された実装基板２を覆うことで、取付部材４との間に空間１０ａａができるように構成されている。
【００２４】
カバー本体５ａは、半円筒状の光出射部５ｃと、一対の突板部５ｄと、を有している。光出射部５ｃは、表面にプリズム５ｃａが形成されている。プリズム５ｃａは、カバー本体５ａの長手方向に沿って設けられている。プリズム５ｃａは、光出射部５ｃの長手方向と直交する断面視において、凹凸形状をしている。プリズム５ｃａは、ＬＥＤ１から放射された光を集光して、光源ユニット１０の短手方向へ光が拡がることを抑制する。
【００２５】
突板部５ｄは、光出射部５ｃの長手方向に沿って設けられている。一対の突板部５ｄは、光出射部５ｃの両端部より互いに平行に突出するように形成されている。一対の突板部５ｄの先端それぞれには、互いに近づく向きに突出する突起部５ｅが設けられている。突起部５ｅは、取付部材４の突出部４ｅに引っ掛けることができるように構成されている。
【００２６】
一対の突板部５ｄの各々は、突起部５ｅと光出射部５ｃとの間に、内突部５ｆを備えている。一対の内突部５ｆのそれぞれは、先端が互いに近づく向きに配置されている。光出射部５ｃは、長手方向に沿って、短手方向における両端部に延出部５ｈが設けられている。延出部５ｈは、光出射部５ｃと連なるように、突板部５ｄの外側まで延出している。カバー本体５ａは、光出射部５ｃと突板部５ｄと突起部５ｅと内突部５ｆと延出部５ｈとが一体的に形成されている。
【００２７】
カバーエンド５ｂは、カバー本体５ａにおける長手方向の端部に設けられる。カバーエンド５ｂは、半円板状の外形形状に形成されている。カバーエンド５ｂは、挟持部５ｇを備えている。挟持部５ｇは、カバー本体５ａの内突部５ｆを挟み持つことができるように構成されている。カバーエンド５ｂは、挟持部５ｇがカバー本体５ａの内突部５ｆを挟み持つことで、カバー本体５ａに取り付けられる。
【００２８】
カバー部材５は、ＬＥＤ１から放射された光を効率よく透過できる材料で形成されていることが好ましい。カバー部材５の材料としては、たとえば、ポリカーボネート樹脂若しくはアクリル樹脂などの樹脂材料が挙げられる。カバー部材５は、たとえば、押出成形により形成される。カバー部材５は、カバー部材５を形成している透光性の樹脂材料に光拡散材が含有されていてもよい。
【００２９】
電源装置６は、電源基板６ａと、電装部品６ｂと、ハウジング６ｃと、を備えている。電源装置６は、図１及び図２に示すように、取付部材４における実装基板２と反対の第２面４ａｂに取り付けられる。電源装置６は、実装基板２と電気的に接続されている。電源装置６は、実装基板２に所定の点灯電力を供給し、ＬＥＤ１を点灯できるように構成されている。電源基板６ａは、たとえば、ガラスエポキシ樹脂基板である。電源基板６ａは、ガラスエポキシ樹脂基板だけに限られず、たとえば、セラミック基板若しくは金属ベースプリント配線板であってもよい。電源基板６ａには、複数種の電装部品６ｂが実装される。
【００３０】
複数種の電装部品６ｂは、電源装置６を構成する各種の回路を構成する。複数種の電装部品６ｂとしては、たとえば、トランス、ダイオード、コンデンサ、スイッチング素子及びスイッチング素子をスイッチング制御するドライブＩＣ(Integrated Circuit)などが挙げられる。複数種の電装部品６ｂは、適宜に電気的に接続され、ＬＥＤ１の点灯電力を生成するための電源回路を構成する。電源回路は、昇圧チョッパ回路及び降圧チョッパ回路を備えた構成が挙げられる。
【００３１】
電源装置６は、商用交流電源などの外部電源からの交流電圧を直流電圧に整流する。電源装置６は、整流した直流電圧を昇圧及び降圧し、所定の目標値に一致する電流が出力できるように構成されている。ハウジング６ｃは、電源基板６ａ及び複数種の電装部品６ｂを収容できるように構成されている。ハウジング６ｃは、一面に開口が形成された長尺の矩形箱状の外形形状をしている。ハウジング６ｃは、開口が取付部材４における取付部４ａで塞がれるように配置される。ハウジング６ｃは、たとえば、取付ねじにより、取付部材４に取り付けられる。ハウジング６ｃは、金属製の板材の打ち抜き加工及び折り曲げ加工によって形成される。
【００３２】
引掛ばね７ａは、図１に示すように、取付部材４における第２面４ａｂに取り付けられている。引掛ばね７ａは、取付部材４の短手方向の両端側のうちの一方側において、取付部材４の長手方向の両端に設けられている。引掛ばね７ａは、図２に示すユニット保持体３４の引掛金具３４ｋに引っ掛けられることができるように構成されている。引掛片７ｂは、図１及び図２に示すように、取付部材４における第２面４ａｂに取り付けられている。引掛片７ｂは、取付部材４の短手方向の両端側のうちの一方側と反対の他方側において、取付部材４の長手方向の両端に設けられている。引掛片７ｂは、ユニット保持体３４の対応する引掛孔に挿入されて引掛孔の周囲に引っ掛けられるように構成されている。
【００３３】
器具本体３１の本体部３１ｓは、長尺の外形形状をしている。本体部３１ｓは、図１、図２、図３及び図６に示すように、底面部３１ａと、一対の第１側面部３１ｂと、一対の第２側面部３１ｃと、で構成されている。
【００３４】
底面部３１ａは、長尺の矩形平板状の外形形状をしている。底面部３１ａには、図３に示すように、厚み方向に貫通した挿通孔３１ａａが設けられている。挿通孔３１ａａは、給電用の電源線が挿通できるように構成されている。電源線は、外部電源と電気的に接続され、天井材５０の裏側から導出される。底面部３１ａには、厚み方向に貫通した挿入孔３１ａｂが設けられている。挿入孔３１ａｂは、天井材５０の裏側に設けられた吊りボルトを挿入できるように構成されている。
【００３５】
第１側面部３１ｂは、長尺の矩形平板状の外形形状をしている。第１側面部３１ｂは、底面部３１ａの長手方向に沿って設けられている。第１側面部３１ｂは、底面部３１ａの厚み方向に沿って突出している。第１側面部３１ｂは、底面部３１ａの短手方向における両端に配置されている。一対の第１側面部３１ｂは、互いに対向するように配置されている。
【００３６】
第２側面部３１ｃは、長尺の矩形平板状の外形形状をしている。第２側面部３１ｃは、底面部３１ａの短手方向に沿って設けられている。第２側面部３１ｃは、底面部３１ａの厚み方向に沿って突出している。第２側面部３１ｃは、底面部３１ａの長手方向における両端に配置されている。一対の第２側面部３１ｃは、互いに対向するように配置されている。一対の第２側面部３１ｃの各々は、図２に示すように、厚み方向に貫通する支持孔３１ｃａが設けられている。支持孔３１ｃａは、円形状の外形形状をしている。支持孔３１ｃａは、ユニット保持体３４の長手方向の両端から突出する軸部３４ｈを支持できるように構成されている。
【００３７】
底面部３１ａと第１側面部３１ｂと第２側面部３１ｃとは、金属板により形成されている。底面部３１ａと第１側面部３１ｂとは、金属板の打ち抜き加工及び折り曲げ加工により一体的に形成されている。一対の第２側面部３１ｃそれぞれは、金属板の打ち抜き加工及び折り曲げ加工に形成されている。
【００３８】
第２側面部３１ｃは、底面部３１ａ及び第１側面部３１ｂの長手方向の端部を塞ぐように、底面部３１ａ及び第１側面部３１ｂと接合されている。器具本体３１の本体部３１ｓは、底面部３１ａと一対の第１側面部３１ｂと一対の第２側面部３１ｃとで、一面が開口する箱状に形成されている。本体部３１ｓは、開口周りに外方へ突出する鍔部３１ｄを有している。鍔部３１ｄは、一対の第１側面部３１ｂと一対の第２側面部３１ｃとがそれぞれ、開口周りから外方へ向かって折り返されることで形成されている。
【００３９】
底面部３１ａと第１側面部３１ｂと第２側面部３１ｃのそれぞれは、表面に白色顔料の粉体塗装が行われている。底面部３１ａと第１側面部３１ｂと第２側面部３１ｃのそれぞれは、表面に白色顔料の粉体塗装が行われていることで、光源ユニット１０からの光を効率よく反射させることができる。
【００４０】
支持板３１ｆは、図６に示すように、突板３１ｆｂと、接合板３１ｆｃと、を有している。突板３１ｆｂは、図１に示すように、台形状の平板の外形形状をしている。図１では、突板３１ｆｂの先端を直線状の破線で例示している。突板３１ｆｂは、厚み方向に貫通する通孔部３１ｆａを有している。突板３１ｆｂは、先端に沿って、複数の通孔部３１ｆａが設けられている。複数の通孔部３１ｆａそれぞれは、長円形の外形形状をしている。複数の通孔部３１ｆａそれぞれは、長円形の長軸を突板３１ｆｂにおける台形の一方の脚に沿うように配置されている。図１では、通孔部３１ｆａを長円形の破線で例示している。
【００４１】
接合板３１ｆｃは、矩形平板状の外形形状をしている。接合板３１ｆｃは、矩形の一辺が突板３１ｆｂにおける台形の他方の脚と接するように設けられている。支持板３１ｆは、図６に示すように、突板３１ｆｂと接合板３１ｆｃとでＬ字状の外形形状をしている。支持板３１ｆは、第１ねじ３１ｆｄより、接合板３１ｆｃが底面部３１ａにねじ止めされている。支持板３１ｆは、接合板３１ｆｃが底面部３１ａにねじ止めされ、底面部３１ａから器具本体３１の内部に向かって突出している。
【００４２】
反射部材３２は、図１に示すように、器具本体３１の内部に設けられている。反射部材３２は、反射板３２ａと、固着板３２ｂと、遮蔽板３２ｃと、を有している。反射板３２ａは、長尺の矩形平板状の外形形状をしている。固着板３２ｂは、長尺の矩形平板状の外形形状をしている。遮蔽板３２ｃは、長尺の矩形平板状の外形形状をしている。反射板３２ａは、短手方向の両端のうちの一方端において、長手方向に沿って固着板３２ｂが結合されている。反射板３２ａは、短手方向の両端のうちの一方端と反対の他方端において、長手方向に沿って遮蔽板３２ｃが結合されている。
【００４３】
反射部材３２は、長手方向と直交する断面視において、反射板３２ａと固着板３２ｂと遮蔽板３２ｃとでＺ字状の外形形状をしている。反射部材３２は、板材の折り曲げ加工により、反射板３２ａと固着板３２ｂと遮蔽板３２ｃとが一体的に形成されている。反射部材３２は、表面に白色顔料の粉体塗装が行われている。反射部材３２は、表面に白色顔料の粉体塗装が行われていることで、光源ユニット１０からの光を効率よく反射させることができる。
【００４４】
固着板３２ｂは、第２ねじ３２ｂｆで、一対の第１側面部３１ｂのうち、一方の第１側面部３１ｂにねじ止め固定されている。反射板３２ａは、底面部３１ａから突出する支持片３２ｄに支持されている。反射部材３２は、一対の第１側面部３１ｂと一対の第２側面部３１ｃとで囲まれる開口縁における第１側面部３１ｂに沿って、固着板３２ｂと反射板３２ａとの結合端が配置されている。反射部材３２は、光源ユニット１０の長手方向に直交する断面視において、固着板３２ｂと結合された反射板３２ａが第１側面部３１ｂと所定の角度で配置されている。反射部材３２は、光源ユニット１０の光軸３０ａｂに沿うように設けられ、反射板３２ａと第１側面部３１ｂとを所定の鋭角としている。
【００４５】
反射部材３２が光源ユニット１０の光軸３０ａｂに沿って設けられるとは、光源ユニット１０の長手方向に直交する断面視において、反射板３２ａの表面と光軸３０ａｂの方向とが完全に平行な場合だけに限られない。反射部材３２が光源ユニット１０の光軸３０ａｂに沿って設けられるとは、光源ユニット１０の長手方向に直交する断面視において、反射板３２ａが光源ユニット１０からの光を被照射面に反射できるように配置されていればよい。反射部材３２は、光源ユニット１０の光軸３０ａｂに沿って設けられることで、光源ユニット１０からの光を一方側へ偏らせて反射することができる。反射板３２ａは、平板状の外形形状だけに限られない。反射板３２ａは、光源ユニット１０の長手方向と直交する断面視において、表面が曲面を構成するように形成されていてもよいし、表面が階段状の形状に形成されていてもよい。
【００４６】
突出片３３は、長尺の矩形平板状の外形形状をしている。反射部３５は、長尺の矩形平板状の外形形状をしている。突出片３３は、短手方向の両端のうちの一方端において、長手方向に沿って反射部３５が結合されている。突出片３３と反射部３５とは、図１に示すように、光源ユニット１０の長手方向と直交する断面視において、Ｖ字状の外形形状をしている。突出片３３は、短手方向の両端のうちの一方端と反対の他方端に、第１接合片３３ａが設けられている。第１接合片３３ａは、矩形平板状の外形形状をしている。突出片３３と第１接合片３３ａとは、光源ユニット１０の長手方向と直交する断面視において、Ｌ字状の外形形状をしている。第１接合片３３ａは、第３ねじ３３ａｆで、一対の第１側面部３１ｂのうち、他方の第１側面部３１ｂにねじ止め固定されている。突出片３３は、一対の第１側面部３１ｂと一対の第２側面部３１ｃとで囲まれる開口縁を塞ぐように、他方の第１側面部３１ｂから底面部３１ａと平行方向に突出するように配置されている。
【００４７】
反射部３５は、短手方向の両端のうちの一方端と反対の他方端に第２接合片３５ａが設けられている。第２接合片３５ａは、矩形平板状の外形形状をしている。第２接合片３５ａは、第４ねじ３５ａｆで、一対の第１側面部３１ｂのうち、他方の第１側面部３１ｂにねじ止め固定されている。反射部３５は、光源ユニット１０の長手方向に沿って、突出片３３との結合縁から器具本体３１の内部に向かって延びるように配置されている。反射部３５は、反射板３２ａと対向して配置されている。突出片３３と第１接合片３３ａと反射部３５と第２接合片３５ａとは、板材の折り曲げ加工により、一体的に形成されている。突出片３３と反射部３５とは、表面に白色顔料の粉体塗装が行われている。突出片３３と反射部３５とは、表面に白色顔料の粉体塗装が行われていることで、光源ユニット１０からの光を効率よく反射させることができる。
【００４８】
反射部３５は、平板状の外形形状だけに限られない。反射部３５は、光源ユニット１０の長手方向と直交する断面視において、表面が曲面を構成するように形成されてもよい。曲面は、たとえば、放物曲面の一部が挙げられる。反射部３５は、光源ユニット１０の長手方向と直交する断面視において、表面が曲面だけに限られず、表面が階段状の形状でもよい。
【００４９】
器具本体３１は、吊りボルトを用いて、天井材５０に取り付けられる。器具本体３１は、天井材５０に取り付けられる場合、たとえば、長手方向に沿って４つ設けられた挿入孔３１ａｂに吊りボルトが挿入され、ナットが締め付けられる。器具本体３１は、鍔部３１ｄを残して天井材５０の埋込穴５０ａａに埋め込まれた状態で、吊りボルトで吊り下げられる。
【００５０】
端子台３６は、本体部３１ｓにおける底面部３１ａに取り付けられている。端子台３６は、接続部３６ａを有している。接続部３６ａは、天井材５０を通して室内側に露出する電源線と接続できるように構成されている。端子台３６は、接続線を介して、外部電源からの電力を電源装置６に供給できるように構成されている。端子台３６は、天井材５０を通して室内側に露出する制御線が接続される。制御線には、光源ユニット１０の点灯を制御する調光信号が伝送される。
【００５１】
器具本体３１は、本体部３１ｓ、反射部材３２、突出片３３及び反射部３５の材料として、鋼板が挙げられる。本体部３１ｓ、反射部材３２、突出片３３及び反射部３５の材料としては、鋼板だけに限られず、たとえば、アルミニウム、ステンレスや銅合金などが採用されてもよい。
【００５２】
ユニット保持体３４は、長尺の外形形状をしている。ユニット保持体３４は、扁平な箱状に形成されている。ユニット保持体３４は、図１、図２、図４、図５及び図６に示すように、底壁部３４ａと、第１側壁部３４ｂと、第２側壁部３４ｃと、突壁部３４ｄと、を有している。ユニット保持体３４には、突出板３４ｅと、引掛金具３４ｋと、回転保持部３４ｆと、が取り付けられている。
【００５３】
底壁部３４ａは、長尺の矩形平板状の外形形状をしている。底壁部３４ａは、第１通孔３４ａｃを有している。第１通孔３４ａｃは、底壁部３４ａの長手方向の中央部に設けられている。第１通孔３４ａｃは、正面視において、矩形状に形成されている。第１通孔３４ａｃは、端子台３６と電源装置６とを電気的に接続する接続線を通すことができる。底壁部３４ａは、第２通孔３４ａｄを有している。第２通孔３４ａｄは、底壁部３４ａの長手方向の両端部に設けられている。一対の第２通孔３４ａｄそれぞれは、正面視において、矩形状に形成されている。
【００５４】
第１側壁部３４ｂは、底壁部３４ａの長手方向に沿って設けられている。第１側壁部３４ｂは、矩形板状の外形形状をしている。第１側壁部３４ｂは、底壁部３４ａの短手方向の両端に配置されている。第１側壁部３４ｂは、底壁部３４ａの厚み方向に沿って突出している。一対の第１側壁部３４ｂは、互いに対向するように配置されている。一対の第１側壁部３４ｂのうち、底壁部３４ａの短手方向の両端のうちの一方端に配置された第１側壁部３４ｂには、第１側壁部３４ｂの長手方向の両端部に突起片３４ｔが形成されている。突起片３４ｔは、図４に示すように、回転保持部３４ｆの近傍に配置されている。突起片３４ｔは、たとえば、第１側壁部３４ｂの一部を切り起こすことにより形成される。一対の第１側壁部３４ｂのうち、底壁部３４ａの短手方向の両端のうちの一方端と反対側の他方端に配置された第１側壁部３４ｂには、光源ユニット１０の引掛片７ｂが挿入される引掛孔が、第１側壁部３４ｂの長手方向の両端部に設けられている。
【００５５】
第２側壁部３４ｃは、底壁部３４ａの短手方向に沿って設けられている。第２側壁部３４ｃは、底壁部３４ａの長手方向の両端に配置されている。第２側壁部３４ｃは、側面視において、Ｔ字状の外形形状をしている。第２側壁部３４ｃは、底壁部３４ａの厚み方向に沿って突出している。一対の第２側壁部３４ｃは、互いに対向するように配置されている。第２側壁部３４ｃは、Ｔ字状の縦棒が底壁部３４ａと結合され、Ｔ字状の横棒が一対の第１側壁部３４ｂのそれぞれと結合されている。底壁部３４ａと一対の第１側壁部３４ｂと一対の第２側壁部３４ｃとは、凹部３４ａａを構成している。凹部３４ａａは、断面視において、Ｃ字状の外形形状をしている。
【００５６】
突壁部３４ｄは、長尺の外形形状をしている。突壁部３４ｄは、図１に示すように、長手方向に直交する断面視において、Ｖ字状の外形形状をしている。突壁部３４ｄは、第１側壁部３４ｂの長手方向に沿って、凹部３４ａａの開口端から外方へ突出するように設けられている。一対の突壁部３４ｄは、対向して配置されており、外方へ突出するにつれ、互いに離れるように設けられている。
【００５７】
ユニット保持体３４は、底壁部３４ａと一対の第１側壁部３４ｂと一対の第２側壁部３４ｃと一対の突壁部３４ｄとが一体的に形成されている。ユニット保持体３４は、金属板により形成されている。ユニット保持体３４は、金属板を折り曲げ加工することで形成されている。ユニット保持体３４の材料としては、鋼板が挙げられる。ユニット保持体３４は、鋼板の打ち抜き加工及び曲げ加工が施されることで形成される。鋼板は、表面に反射膜が形成されていることが好ましい。反射膜は、白色顔料の粉体塗装により形成させることができる。ユニット保持体３４の材料は、鋼板だけに限られず、たとえば、アルミニウム、ステンレスや銅合金などを採用してもよい。
【００５８】
引掛金具３４ｋは、図２に示すように、底壁部３４ａの短手方向の両端のうちの一方端にあって、底壁部３４ａの長手方向の両端部に取り付けられている。突出板３４ｅは、底壁部３４ａの短手方向の両端のうちの一方端と反対の他方端側にあって、底壁部３４ａの長手方向の両端側に取り付けられている。突出板３４ｅは、底壁部３４ａの第２通孔３４ａｄから光源ユニット１０が収容される凹部３４ａａと反対の外方に突出している。突出板３４ｅは、図４及び図５に示すように、固定板３４ｅａと、保持板３４ｅｂと、傾斜板３４ｅｃと、を有している。固定板３４ｅａは、矩形平板状の外形形状をしている。固定板３４ｅａは、接合ねじ３４ｅｅで、底壁部３４ａにねじ止めされる。保持板３４ｅｂは、台形状の平板の外形形状をしている。保持板３４ｅｂは、固定板３４ｅａの一辺に沿って、固定板３４ｅａの厚み方向に突出している。保持板３４ｅｂは、複数のねじ孔３４ｅｋが設けられている。図１及び図５では、複数のねじ孔３４ｅｋとして、３つを図示している。３つのねじ孔３４ｅｋは、固定板３４ｅａから徐々に離れるように、円弧状に並んで配置されている。保持板３４ｅｂは、固定板３４ｅａと反対側に傾斜板３４ｅｃを突出している。一対の突出板３４ｅのそれぞれは、互いに傾斜板３４ｅｃが離れる向きに配置されるように、底壁部３４ａに取り付けられている。
【００５９】
回転保持部３４ｆは、底壁部３４ａの短手方向の両端のうちの一方端にあって、底壁部３４ａの長手方向の両端に取り付けられている。一対の回転保持部３４ｆは、一対の引掛金具３４ｋを挟むように、底壁部３４ａに配置されている。回転保持部３４ｆは、図４に示すように、固定片３４ｆａと、軸受部３４ｆｂと、軸部３４ｈと、弾性体３４ｓと、を有している。軸部３４ｈは、レバー３４ｍを有している。
【００６０】
固定片３４ｆａは、矩形平板状の外形形状をしている。固定片３４ｆａは、固定ねじ３４ｆｃにより、底壁部３４ａに固定される。軸受部３４ｆｂは、固定片３４ｆａの矩形状の一辺に沿って配置されている。軸受部３４ｆｂは、長手方向を軸方向とする円筒状の外形形状をしている。軸受部３４ｆｂは、円筒状の内部に軸部３４ｈの一部が挿通されている。
【００６１】
軸部３４ｈは、一部が軸受部３４ｆｂの内部に挿通された状態で、軸受部３４ｆｂから一端部が突出する。軸部３４ｈは、一部が軸受部３４ｆｂの内部に挿通された状態で、一端部と反対に軸受部３４ｆｂから突出した他端部にレバー３４ｍが設けられている。レバー３４ｍは、軸受部３４ｆｂから突出する軸部３４ｈの軸方向と直交する方向へ突出している。言い換えれば、軸部３４ｈは、Ｌ字状の外形形状をしている。軸部３４ｈは、たとえば、円柱の棒状金属体を折り曲げ加工により形成される。軸部３４ｈは、軸受部３４ｆｂの長手方向と直交する方向にレバー３４ｍが突出し、軸受部３４ｆｂに保持される。
【００６２】
弾性体３４ｓは、たとえば、コイルばねで形成される。弾性体３４ｓは、中央に軸部３４ｈが挿通される。弾性体３４ｓは、ストッパと軸受部３４ｆｂとの間に挟まれるように保持される。ストッパは、軸部３４ｈにおけるレバー３４ｍと反対側の一端部に設けられている。ストッパは、軸部３４ｈから突出するように、軸部３４ｈの外径よりも大きい円環状に形成されている。弾性体３４ｓは、軸部３４ｈの一端部と軸受部３４ｆｂとが離れる向きに、軸部３４ｈに弾性力を付与する。弾性体３４ｓは、軸部３４ｈに弾性力を付与できる限り、コイルばねに限られず、板ばねであってもよい。
【００６３】
回転保持部３４ｆは、弾性体３４ｓの弾性力に抗して、レバー３４ｍを軸受部３４ｆｂから離れる方向に移動させることができる。回転保持部３４ｆは、レバー３４ｍを軸受部３４ｆｂの内部における軸部３４ｈの軸周りに回転させることができる。回転保持部３４ｆは、レバー３４ｍを軸受部３４ｆｂから離れる方向に移動させた状態で、軸受部３４ｆｂの内部における軸部３４ｈの軸周りに回転されれば、レバー３４ｍが突起片３４ｔに保持される。図４では、レバー３４ｍが突起片３４ｔに保持された状態を実線で例示し、レバー３４ｍが突起片３４ｔに保持されていない状態を一点鎖線で例示している。
【００６４】
言い換えれば、回転保持部３４ｆは、ユニット保持体３４の短手方向の両端のうちの一方端に、ユニット保持体３４の長手方向に沿って長手方向の両端から突出する軸部３４ｈを備えている。回転保持部３４ｆは、ユニット保持体３４から突出する軸部３４ｈの先端を、器具本体３１における第２側面部３１ｃの支持孔３１ｃａに挿通できるように構成されている。ユニット保持体３４は、軸部３４ｈを回転中心として、器具本体３１に対して軸回転させることができる。回転保持部３４ｆは、支持孔３１ｃａに挿入された軸部３４ｈを、支持孔３１ｃａから外せるように構成されている。
【００６５】
本実施形態の照明器具３０では、引掛片７ｂが引掛孔に挿入されて引掛孔の周囲に引っ掛けられ、引掛ばね７ａが引掛金具３４ｋに引き掛けられる。照明器具３０では、引掛片７ｂが引掛孔の周囲に引っ掛けられ、引掛ばね７ａが引掛金具３４ｋに引き掛けられることで、側板部４ｂの一部及び突板部５ｄの一部を凹部３４ａａに収容した状態で、光源ユニット１０がユニット保持体３４に保持される。ユニット保持体３４は、凹部３４ａａに光源ユニット１０を収容した場合、凹部３４ａａの開口端と延出部５ｈとの間に隙間が開くように構成されている。照明器具３０では、凹部３４ａａの開口端と延出部５ｈとの間に隙間を開けているので、光源ユニット１０の延出部５ｈから導出された光により、隙間が暗くなることを抑制することができる。
【００６６】
照明器具３０では、凹部３４ａａの開口端と延出部５ｈとの間に隙間を開けているので、器具本体３１の内部の奥深くに光源ユニット１０が収容される場合でも、延出部５ｈが把持されて、ユニット保持体３４から光源ユニット１０を外しやすくできる。
【００６７】
照明器具３０は、弾性体３４ｓの弾性力に抗して軸部３４ｈの大部分がユニット保持体３４の内部に収納された状態で、レバー３４ｍを軸周りに回転させる。照明器具３０は、レバー３４ｍを軸周りに回転させた状態で突起片３４ｔに仮止めされれば、軸部３４ｈがユニット保持体３４の内部に引っ込んだ状態で、器具本体３１の内部にユニット保持体３４を収容することができる。照明器具３０は、器具本体３１の内部にユニット保持体３４を収容した状態でレバー３４ｍが突起片３４ｔから外される。照明器具３０では、レバー３４ｍが突起片３４ｔから外されることで、軸部３４ｈがユニット保持体３４から突出する。照明器具３０では、軸部３４ｈがユニット保持体３４から突出して、器具本体３１における第２側面部３１ｃの支持孔３１ｃａに挿入されると、ユニット保持体３４が器具本体３１に支持される。本実施形態の照明器具３０では、ユニット保持体３４は、器具本体３１に対し、軸部３４ｈを回転軸として回転させることで、光源ユニット１０の光軸３０ａｂを傾けることができる。
【００６８】
照明器具３０は、器具本体３１に対するユニット保持体３４の角度を決めて、３つのねじ孔３４ｅｋのうち、保持ねじ３４ｅｆを何れか１つのねじ孔３４ｅｋにねじ止めすることで、角度を保持してユニット保持体３４を固定することができる。照明器具３０は、３つのねじ孔３４ｅｋの何れに、保持ねじ３４ｅｆをねじ止めするかで、光軸３０ａｂの角度を調整することができる。保持ねじ３４ｅｆは、たとえば、座金付きのつまみねじを利用することができる。
【００６９】
照明器具３０は、軸部３４ｈを回転中心に角度を決めて、保持ねじ３４ｅｆを支持板３１ｆの通孔部３１ｆａに挿通し、突出板３４ｅのねじ孔３４ｅｋにねじ止め固定することで、光源ユニット１０の光軸３０ａｂの角度を所定の角度に固定することができる。
【００７０】
本実施形態の照明器具３０では、光源ユニット１０を保持するユニット保持体３４が器具本体３１に対して、５５度、６０度及び６５度まで５度ごとに３段階で角度を変えることができるように構成されている。照明器具３０は、器具本体３１に対して光源ユニット１０の角度を変えることで、照明器具３０の前方に建物の梁などがあっても被照射面に所定の光が照射できる。
【００７１】
照明器具３０では、軸部３４ｈが第２側面部３１ｃの表面に形成された白色粉体塗装の塗装表面が剥がれた場合、見栄えが悪くなる場合だけに限られず、光源ユニット１０からの光が照射された被照射面の照度分布の均一性が低下するおそれもある。本実施形態の照明器具３０では、ユニット保持体３４が器具本体３１における内部の奥深くに配置される場合でも、軸部３４ｈが突出したままで器具本体３１の内部にユニット保持体３４が配置されることを防止できる。本実施形態の照明器具３０では、軸部３４ｈが突出したままで器具本体３１の内部にユニット保持体３４が配置されることを防止できるから、器具本体３１の第２側面部３１ｃを軸部３４ｈが傷つけることを抑制できる。
【００７２】
照明器具３０は、光源ユニット１０がユニット保持体３４に保持された状態で、光源ユニット１０の側板部４ｂとユニット保持体３４の突壁部３４ｄとの間に、カバー部材５の突板部５ｄが配置される。延出部５ｈは、平面視において、光源ユニット１０がユニット保持体３４に保持された状態で、ユニット保持体３４の凹部３４ａａの開口端と重なるように配置される。延出部５ｈは、ユニット保持体３４の凹部３４ａａの開口端と離間するように配置されている。
【００７３】
以下では、本実施形態の照明器具３０において、被照射面での照度分布の均一性をより高め、被照射面以外の不要な光の照射を抑制できることについて説明する。
【００７４】
ＬＥＤは、一般に指向性が強く、ＬＥＤを備えた照明器具からの光を直接的に特定の被照射面に照射させる場合、蛍光ランプを使用した照明器具と比較して、被照射面の照度分布の均一性が低下する場合がある。
【００７５】
比較例の照明器具では、ＬＥＤがカバー部材などによって覆われることで、被照射面の照度分布の均一性を向上させることができる。しかしながら、比較例の照明器具では、カバー部材によって光源ユニット１０が大型化し、被照射面以外に向かう光により被照射面と対向し被照射面を視認する者に対して、眩しさを生じさせるおそれもある。
【００７６】
本実施形態の照明器具３０では、光軸３０ａｂに沿って設けられる反射部材３２により、光源ユニット１０からの光を被照射面へ反射することで被照射面の照度分布の均一性を向上させることができる。本実施形態の照明器具３０では、反射部材３２に向かう突出片３３により、光軸３０ａｂと交差する方向への光を遮光し、被照射面以外に向かう光により、被照射面に対向し、被照射面を視認する者に対して眩しさを生じさせることを抑制できる。本実施形態の照明器具３０では、特に、反射部材３２によって反射された光が被照射面以外に向かう場合があっても、被照射面と対向し被照射面を視認する者に対して眩しさを生じさせることを抑制できる。
【００７７】
本実施形態の照明器具３０では、突出片３３は、光軸３０ａｂに沿って、開口部３０ａａに沿った先端縁から器具本体３１の内部に向かって延びる反射部３５を有することが好ましい。
【００７８】
本実施形態の照明器具３０は、突出片３３が光軸３０ａｂに沿って開口部３０ａａに沿った先端縁から器具本体３１の内部に延びる反射部３５を有しているので、光源ユニット１０から放出された光の有効利用を図ることができる。
【００７９】
反射部３５は、器具本体３１の内部に設けられている。反射部３５は、矩形平板状の外形形状をしている。反射部３５は、光源ユニット１０の光軸３０ａｂに沿って、配置されている。照明器具３０は、反射部３５が設けられることで、被照射面において、明るい領域と暗い領域が現れることを抑制することができる。
【００８０】
本実施形態の照明器具３０では、器具本体３１は、光軸３０ａｂを器具本体３１に対して傾ける傾斜部を有することが好ましい。
【００８１】
本実施形態の照明器具３０では、器具本体３１における支持板３１ｆ及び本体部３１ｓと、ユニット保持体３４における突出板３４ｅ、回転保持部３４ｆ及び保持ねじ３４ｅｆとで傾斜部が構成されている。照明器具３０は、傾斜部を有することで、光軸３０ａｂを器具本体３１に対して傾けることができる。照明器具３０は、光軸３０ａｂを器具本体３１に対して傾けた場合でも、反射部材３２が被照射面の照度分布の均一性をより高めつつ、突出片３３が光軸３０ａｂと交差する方向への光を遮光することで、被照射面以外の不要な光の照射を抑制できる。
【００８２】
次に、本実施形態の照明器具３０における施工工程について簡単に説明する。
【００８３】
施工工程では、天井材５０を通して、室内側に露出する電源線及び制御線が器具本体３１の挿通孔３１ａａに通される。施工工程では、天井材５０を通して、室内側に露出する吊ボルトが挿入孔３１ａｂに通される。器具本体３１は、たとえば、吊ボルトにワッシャーが通された後、ナットをねじ込んで天井材５０に固定される。その後、施工工程では、電源線及び制御線それぞれが各別に端子台３６に接続される。
【００８４】
次に、ユニット保持体３４を器具本体３１の内部に収容させるように配置する。施工工程では、ユニット保持体３４のレバー３４ｍを突起片３４ｔに仮保持させて、ユニット保持体３４の長手方向の両端から突出する軸部３４ｈの長さを短くしている。
【００８５】
施工工程では、ユニット保持体３４を器具本体３１の所定の位置に配置させた状態で、レバー３４ｍを突起片３４ｔから外して、軸部３４ｈをユニット保持体３４の外方に突出させる。施工工程では、ユニット保持体３４の軸部３４ｈが、器具本体３１の支持孔３１ｃａに挿入される。施工工程では、器具本体３１に対するユニット保持体３４の角度を決めて、保持ねじ３４ｅｆでねじ止めされる。
【００８６】
次に、予め組み立てられた光源ユニット１０をユニット保持体３４の凹部３４ａａに収容する。施工工程では、光源ユニット１０の引掛片７ｂをユニット保持体３４の対応する引掛孔の周囲に引っ掛けて、光源ユニット１０を器具本体３１に仮保持させる。次に、施工工程では、光源ユニット１０を器具本体３１に仮保持させた状態のまま、端子台３６と電源装置６とを接続線で電気的に接続させる。最後に、照明器具３０は、器具本体３１の引掛孔を支点として、光源ユニット１０を回転させ、光源ユニット１０を所定の角度でユニット保持体３４の凹部３４ａａに収容させることで、本実施形態の照明器具３０を比較的簡単に施工できる。
【００８７】
本実施形態の照明器具３０は、黒板、絵画若しくは写真など特定の比較的狭い範囲の被照射面を均一に照らしつつ、特定の範囲を視認する者に対し眩しく感じることを抑制させることができる。本実施形態の照明器具３０は、天井材５０に埋込配置されており、照明器具３０が配置されても天井面をすっきりした外観とすることができる。特に、本実施形態の照明器具３０は、反射部材３２及び突出片３３を有し、器具本体３１の内部深くに光源ユニット１０を配置できるので、外部から光源ユニット１０が視認されにくく、見栄えをよくすることができる。照明器具３０は、天井材５０の埋込穴５０ａａに埋め込まれる構造だけに限られない。照明器具３０は、壁面又は床面などの施工面に設けられた窪みに埋め込んで設置される構成であってもよい。照明器具３０は、施工面に設けられた窪みに埋め込まれた構造だけに限られず、施工面に直付けされる構造でもよい。
【００８８】
本発明は、上述の実施形態だけに限定されず、本発明に係る技術的思想を逸脱しない範囲で、種々変更することができる。
【符号の説明】
【００８９】
１  ＬＥＤ
２  実装基板
４  取付部材
５  カバー部材
１０  光源ユニット
３０  照明器具
３０ａａ  開口部
３１  器具本体
３２  反射部材
３３  突出片
３５  反射部
【図１】
0006739054.tif 000002
【図２】
0006739054.tif 000003
【図３】
0006739054.tif 000004
【図４】
0006739054.tif 000005
【図５】
0006739054.tif 000006
【図６】
0006739054.tif 000007